(57)【要約】【課題】  利用者が意図しないＲＦＩＤタグの通信を防止し、必要な場合にのみ通信可能にすることを目的とする。【解決手段】  電磁波遮蔽性を有する素材で作成した、ＲＦＩＤタグ全体を被うことで電波から遮蔽する被覆部と、ＲＦＩＤタグを被覆部から無線通信可能な状態に露出させ、更に、露出させた該ＲＦＩＤタグを再度被覆状態に戻すタグ露出部とを設け、ＲＦＩＤタグおよび外界からの電波を遮蔽することを特徴とするＲＦＩＤ被覆具を提供する。【選択図】  図１
2005086244.tif 000002
【特許請求の範囲】
【請求項１】
ＲＦＩＤタグおよび外界からの電波を遮蔽するＲＦＩＤ被覆具であって、
電磁波遮蔽性を有する素材で作成した、前記ＲＦＩＤタグ全体を被うことで電波から遮蔽する被覆部と、
前記ＲＦＩＤタグを前記被覆部から無線通信可能な状態に露出させ、更に、露出させた該ＲＦＩＤタグを再度被覆状態に戻すタグ露出部と、
を備えることを特徴とするＲＦＩＤ被覆具。
【請求項２】
請求項１記載のＲＦＩＤ被覆具であって、
前記被覆部が、
少なくとも該被覆部の一辺に開口部、
を備えることを特徴とするＲＦＩＤ被覆具。
【請求項３】
請求項１または２記載のＲＦＩＤ被覆具であって、
前記タグ露出部を、
前記被覆部により被覆されている前記ＲＦＩＤタグを、前記被覆部の一辺に沿って滑らせることにより前記開口部から前記被覆部の外へ露出させ、更に、露出させた該ＲＦＩＤタグを前記開口部から前記被覆部内の元の位置に収納するタグスライド部により構成する、
ことを特徴とするＲＦＩＤ被覆具。
【請求項４】
請求項１から３のいずれかに記載のＲＦＩＤ被覆具であって、
前記タグスライド部を、
前記ＲＦＩＤタグの一方に連結し、該ＲＦＩＤタグを前記開口部から前記被覆部の外に引き出すストラップと、
該ＲＦＩＤタグの引き出しを所定の位置で停止させるストッパーと、
該ＲＦＩＤタグの一方および前記被覆部の一部に連結され、該ＲＦＩＤタグを前記開口部より前記被覆部内の元の位置に引き戻す弾性材とにより構成する、
ことを特徴とするＲＦＩＤ被覆具。
【請求項５】
請求項１から３のいずれかに記載のＲＦＩＤ被覆具であって、
前記タグスライド部を、
前記ＲＦＩＤタグの一部に連結され、掴んで該ＲＦＩＤを二方向に滑らせることにより、該ＲＦＩＤタグの前記開口部から前記遮蔽部の外への取り出し、および該ＲＦＩＤの前記開口部から前記遮蔽部への戻しを行うスライドつまみと、
該ＲＦＩＤタグの滑り動作を所定の位置で停止させるストッパーとにより構成する、
ことを特徴とするＲＦＩＤ被覆具。
【請求項６】
請求項１または２記載のＲＦＩＤ電波遮断物であって、
前記タグ露出部を、
前記ＲＦＩＤタグおよび前記被覆部を一点において重ねて連結する支持部と、
前記ＲＦＩＤタグの一部に連結し、掴んで前記支持部を支点に該ＲＦＩＤタグを回転させることにより、該ＲＦＩＤタグの前記開口部から前記遮蔽部の外への取り出し、および該ＲＦＩＤの前記開口部から前記遮蔽部への戻しを行う引き出しつまみとにより構成する、
ことを特徴とするＲＦＩＤ被覆具。
【請求項７】
請求項１記載のＲＦＩＤ被覆具であって、
前記タグ露出部を、
電磁波遮蔽性を有する素材を用いて作成した、前記被覆部に設けた着脱または移動可能な開口具により構成する、
ことを特徴とするＲＦＩＤ被覆具。
【請求項８】
請求項１から７のいずれかに記載のＲＦＩＤ被覆具であって、
前記被覆部を、
プラスチックに電磁波遮蔽性を有するメッシュをインサートした樹脂成形品により構成する、
ことを特徴とするＲＦＩＤ被覆具。
【請求項９】
請求項１から７のいずれかに記載のＲＦＩＤ被覆具であって、
前記被覆部を、
透明プラスチックに電磁波遮蔽性を有するメッシュをインサートした樹脂成形品により構成する、
ことを特徴とするＲＦＩＤ被覆具。
【発明の詳細な説明】
【技術分野】
【０００１】
本発明は、ＲＦＩＤ（Ｒａｄｉｏ  Ｆｒｅｑｕｅｎｃｙ  Ｉｄｅｎｔｉｆｉｃａｔｉｏｎ）タグを被覆し、必要時以外には、外界とＲＦＩＤタグの通信を遮断するＲＦＩＤ皮膚具に関するものである。
【背景技術】
【０００２】
近年、物流や商品管理において、バーコードより多くの情報を保持することができ、書換えも可能なＲＦＩＤタグが注目されている。
【０００３】
また、係るＲＦＩＤタグを貼付した広告物と利用者が携帯する携帯端末やＲＦＩＤタグが通信を行うことにより、街頭などで見かけた広告宣伝などの情報を入手できる仕組みも提案されている（例えば、特許文献１参照）。
【特許文献１】特開２００２−２６９５０８号公報。
【０００４】
しかしながら、ＲＦＩＤタグを貼付した商品や広告宣伝が増加したり、大出力のＲＦＩＤタグが増加した場合、意図しない場合においてもＲＦＩＤタグが外部との通信を行い、ＲＦＩＤタグ内部のデータが漏洩してしまうなどの問題がある。
【発明の開示】
【発明が解決しようとする課題】
【０００５】
本発明は上述の問題点に鑑みてなされたものであり、利用者が意図しないＲＦＩＤタグの通信を防止し、必要な場合にのみ通信可能にすることを目的とする。
【課題を解決するための手段】
【０００６】
上記目的を達成するために、本発明の第１の態様は、ＲＦＩＤタグおよび外界からの電波を遮蔽するＲＦＩＤ被覆具において、電磁波遮蔽性を有する素材で作成した、前記ＲＦＩＤタグ全体を被うことで電波から遮蔽する被覆部と、前記ＲＦＩＤタグを前記被覆部から無線通信可能な状態に露出させ、更に、露出させた該ＲＦＩＤタグを再度被覆状態に戻すタグ露出部とを設けたものである。
【０００７】
本発明の第２の態様は、上述の第１の態様に係るＲＦＩＤ被覆具において、前記被覆部に、少なくとも該被覆部の一辺に開口部を設けたものである。
【０００８】
本発明の第３の態様は、上述の第１または２の態様に係るＲＦＩＤ被覆具において、前記タグ露出部を、前記被覆部により被覆されている前記ＲＦＩＤタグを、前記被覆部の一辺に沿って滑らせることにより前記開口部から前記被覆部の外へ露出させ、更に、露出させた該ＲＦＩＤタグを前記開口部から前記被覆部内の元の位置に収納するタグスライド部により構成するようにしたものである。
【０００９】
本発明の第４の態様は、上述の第１から３の態様に係るＲＦＩＤ被覆部において、前記タグスライド部を、前記ＲＦＩＤタグの一方に連結し、該ＲＦＩＤタグを前記開口部から前記被覆部の外に引き出すストラップと、該ＲＦＩＤタグの引き出しを所定の位置で停止させるストッパーと、該ＲＦＩＤタグの一方および前記被覆部の一部に連結され、該ＲＦＩＤタグを前記開口部より前記被覆部内の元の位置に引き戻す弾性材とにより構成するようにしたものである。
【００１０】
本発明の第５の態様は、上述の第１から３の態様に係るＲＦＩＤ被覆具において、前記タグスライド部を、前記ＲＦＩＤタグの一部に連結され、掴んで該ＲＦＩＤを二方向に滑らせることにより、該ＲＦＩＤタグの前記開口部から前記遮蔽部の外への取り出し、および該ＲＦＩＤの前記開口部から前記遮蔽部への戻しを行うスライドつまみと、該ＲＦＩＤタグの滑り動作を所定の位置で停止させるストッパーとにより構成するようにしたものである。
【００１１】
本発明の第６の態様は、上述の第１または２の態様に係るＲＦＩＤ被覆具において、前記タグ露出部を、前記ＲＦＩＤタグおよび前記被覆部を一点において重ねて連結する支持部と、前記ＲＦＩＤタグの一部に連結し、掴んで前記支持部を支点に該ＲＦＩＤタグを回転させることにより、該ＲＦＩＤタグの前記開口部から前記遮蔽部の外への取り出し、および該ＲＦＩＤの前記開口部から前記遮蔽部への戻しを行う引き出しつまみとにより構成するようにしたものである。
【００１２】
本発明の第７の態様は、上述の第１の態様に係るＲＦＩＤ被覆具において、前記タグ露出部を、電磁波遮蔽性を有する素材を用いて作成した、前記被覆部に設けた着脱または移動可能な開口具により構成するようにしたものである。
【００１３】
本発明の第８の態様は、上述の第１から７の態様に係るＲＦＩＤ被覆具において、前記被覆部を、プラスチックに電磁波遮蔽性を有するメッシュをインサートした樹脂成形品により構成するようにしたものである。
【００１４】
本発明の第９の態様は、上述の第１から７の態様に係るＲＦＩＤ被覆具において、前記被覆部を、透明プラスチックに電磁波遮蔽性を有するメッシュをインサートした樹脂成形品により構成するようにしたものである。
【発明の効果】
【００１５】
本発明に係るＲＦＩＤ被覆具によれば、利用者がＲＦＩＤタグの通信を希望しない場合は、被覆部によりＲＦＩＤタグ、および外部からの電波を遮断することができる。
【００１６】
また、タグ露出部により、利用者が通信を行う必要がある場合には、簡単な操作により被覆部からＲＦＩＤタグを露出させて通信を行うことが可能であり、通信が終了した時点において、元の遮蔽された状態に戻すことも容易である。
【００１７】
また、電磁波遮蔽性を有するプラスチックにより被覆部を構成することにより、被覆部に金属を用いる場合よりも、ＲＦＩＤ被覆具を軽量にすることができ、更に、電磁波遮蔽性を有する透明なプラスチックにより被覆部を構成することにより、ＲＦＩＤタグと連結するストラップなどの文字やイラストを覆い隠すことがなく、デザインを損なうことがない。
【発明を実施するための最良の形態】
【００１８】
以下、本発明を図示する実施形態に基づいて説明する。図１〜図４は、本発明のＲＦＩＤ被覆具の実施例を示す図である。
【００１９】
図１〜図３は、例えば、携帯電話などのストラップにＲＦＩＤタグを付けて、ＲＦＩＤタグを携帯可能にする場合における、本発明のＲＦＩＤ被覆具の実施例である。
【００２０】
一般に、電波を遮断するには、導電率や透磁率が高い材料、すなわち金属、もしくは金属を付加（蒸着、コーティングなど）した素材で被覆すればよく、本発明のＲＦＩＤ被覆具の被覆部は、電磁波遮蔽性を有して、ＲＦＩＤ全体を被覆可能なものであれば、特に素材が限定されるものではない。
【００２１】
しかしながら、図１〜図３に示すような携帯電話などのストラップに付けたＲＦＩＤタグを被覆する場合、被覆部として金属を用いると重量が増え携帯するのに不便であるし、携帯ストラップの文字やイラストなど隠すので、デザインを損ねる可能性がある。
【００２２】
したがって、被覆部は、金属よりも、電磁波遮蔽性を有するメッシュをインサート成形した透明のプラスチックが、重量的にもデザイン保護面からも好適である。
【００２３】
図１は、タグ露出部として、ＲＦＩＤタグ１の一方に連結したストラップ２と、ストッパー３と、ＲＦＩＤタグ１の他方および被覆部４の一部に連結された弾性材５とを設けたものである。
【００２４】
ＲＦＩＤタグ１は、通常は、図１（ａ）に示すように、被覆部４に被覆されて電波から遮蔽されており、図２（ｂ）に示すように、ストラップ２を特定方向に引くことによりＲＦＩＤタグ１を被覆部４が有する開口部６から被覆部４の外に引き出し、ストッパー３によりＲＦＩＤタグ１が露出した状態のまま静止するように所定の位置で停止させて、通信を可能にする。
【００２５】
通信が終了した後、ストッパー３を解除すると、ゴムやばねなどの弾性材５によりＲＦＩＤタグ１を被覆部４内の元の位置に引き戻す。
【００２６】
図２は、タグ露出部として、ＲＦＩＤタグ１の一部に連結されたスライドつまみ７と、ストッパー３とを設け、図１の実施例と同様にスライド動作により、ＲＦＩＤタグ１の露出と戻しを可能にしたものである。
【００２７】
ＲＦＩＤタグ１は、通常は、図２（ａ）に示すように、被覆部４に被覆されており、スライドつまみ７を掴み、図２（ｂ）に示すように、連結されているＲＦＩＤタグ１を特定方向にスライドさせて開口部６から被覆部４の外に引き出し、ストッパー３によりＲＦＩＤタグ１が露出した状態のまま静止するように所定の位置で停止させて、通信を可能にする。
【００２８】
通信が終了した後、ストッパー３を解除し、スライドつまみ７を掴み、連結されているＲＦＩＤタグ６を被覆部４内の元の位置に戻す。
【００２９】
図２のＲＦＩＤ電波遮蔽物においては、ストラップ２は、ＲＦＩＤタグ１のスライド動作には無関係であり、連結した被覆部４によりＲＦＩＤタグ１を被覆し、ＲＦＩＤタグ１を携帯電話などに付帯させるだけのものである。
【００３０】
図３は、タグ露出部として、ＲＦＩＤタグ１および被覆部４を一点において重ねて連結する支持部８と、ＲＦＩＤタグ１１の一部に連結した引き出しつまみ９とを設け、ＲＦＩＤタグ１を回転させることにより、ＲＦＩＤタグ１の露出および収納を可能にしたものである。
【００３１】
ＲＦＩＤタグ１は、通常は、図３（ａ）に示すように、被覆部４に被覆されており、引き出しつまみ９を掴み、図３（ｂ）に示すように、支持部８を支点に、引き出しつまみ９に連結されているＲＦＩＤタグ１を特定方向に回転させて開口部６から被覆部４の外へ露出させ、通信を可能にする。
【００３２】
通信が終了した後、引き出しつまみ９を掴み、再度回転させることにより、連結されているＲＦＩＤタグ１を被覆部４内の元の位置に戻す。
【００３３】
図３のＲＦＩＤ被覆具においても、ストラップ２は、ＲＦＩＤタグ１の回転動作には無関係であり、連結した被覆部４によりＲＦＩＤタグ１を被覆し、ＲＦＩＤタグ１を携帯電話などに付帯させるだけのものである。
【００３４】
図１から図３に示すようなＲＦＩＤ被覆具を用いることで、利用者が意図してＲＦＩＤタグを貼付した街頭ポスターなどの広告宣伝物と通信を試みない限り、利用者が意図しない宣伝広告を受け取ったり、携帯するＲＦＩＤタグ内の情報が漏洩することを防止することができる。
【００３５】
図４は、タグ露出部として、被覆部４に、被覆部４と同様に電磁波遮蔽性のある素材で構成する開口具１０を設けた実施例であり、通常、図４（ａ）に示すように、開口具１０は締めた状態で電波からの遮蔽を行い、図４（ｂ）に示すように、ＲＦＩＤタグ１が完全に露出するように開口具１０を開くことにより、通信を可能にする。
【００３６】
開口具１０は、ＲＦＩＤタグ１が完全に露出するような開口部を開いたり、塞いだりすることが可能であれば、蓋、扉などを用いることが可能であり、運用形態によっては、開口具１０が被覆部４に連結している必要もなく、取り外し可能であってもよい。
【００３７】
図４に示すＲＦＩＤ被覆具は、商品にＲＦＩＤタグを貼付し、倉庫などにおいて、広範囲のＲＦＩＤタグを１つのリーダで読み取る場合において、同じ物を何度も読み取らないように制御する場合に好適である。
【図面の簡単な説明】
【００３８】
【図１】本発明のＲＦＩＤ被覆具のスライド動作によるタグ露出部の一実施例である。
【図２】本発明のＲＦＩＤ被覆具のスライド動作によるタグ露出部の異なる実施例である。
【図３】本発明のＲＦＩＤ被覆具の回転動作によるタグ露出部の実施例である。
【図４】本発明のＲＦＩＤ被覆具に開口具を設けた実施例である。
【符号の説明】
【００３９】
１  ＲＦＩＤタグ
２  ストラップ
３  ストッパー
４  被覆部
５  弾性材
６  開口部
７  スライドつまみ
８  支持部
９  引き出しつまみ
１０  開口具
【図１】
2005086244.tif 000003
【図２】
2005086244.tif 000004
【図３】
2005086244.tif 000005
【図４】
2005086244.tif 000006